(57)【要約】【課題】  宛先に自分のメールアドレスが判明することがなく、また、複数の端末について異なるメールアドレスを使用する場合でも、複数の端末を用いるユーザや該ユーザにメールを送る他のユーザにとって至便となり、さらには、出会いを目的としたＷＥＢサイトに用いた場合に、メールの送受信のみの場合には認証の手続を不要とできる電子メールシステムを提供する。【解決手段】  甲から乙宛にメールを送信する場合、乙に付与された独自メールアドレス（所定のドメイン名を含むメールアドレス）を宛先にしてメールを送信し、サーバＡにおいては、メールの送信元がサーバＡにおける会員情報テーブルに登録されているかを判定して、登録されている場合には、送信元を甲に付与された独自メールアドレスに変換して送信する。乙が端末Ｂ２と端末Ｂ３の両方に送信する旨の設定を行っている場合には、両方の端末に電子メールを送信する。【選択図】        図７
2006295795.tif 000002
【特許請求の範囲】
【請求項１】
電子メールの送受信を行う電子メールシステムであって、
各会員ごとに、会員を特定するためのデータと、１又は複数のメールアドレスのデータとを記憶した会員情報記憶手段と、
外部から、該会員情報記憶手段に記憶されたいずれかの会員を宛先とする電子メールを受信する受信手段と、
該受信手段により受信した電子メールに付された送信元のメールアドレスが、該会員情報記憶手段に記憶されたメールアドレスに含まれているか否かを判定する判定手段と、
該判定手段により、送信元のメールアドレスが該会員情報記憶手段に記憶されたメールアドレスに含まれていると判定された場合に、該送信元のメールアドレスを該送信元のメールアドレスとは異なるメールアドレスに変換する変換手段と、
該受信手段により受信した電子メールを、該電子メールの宛先に対応する会員について会員情報記憶手段に記憶されたメールアドレスに送信する送信手段で、送信元のメールアドレスとして、該変換手段により変換されたメールアドレスの情報を付して電子メールを送信する送信手段と、
を有することを特徴とする電子メールシステム。
【請求項２】
電子メールの送受信を行う電子メールシステムであって、
各会員ごとに、会員を特定するためのデータと、１又は複数のメールアドレスのデータと、各メールアドレスについて電子メールの送信を行うか否かについてのデータとを記憶した会員情報記憶手段と、
外部から、該会員情報記憶手段に記憶されたいずれかの会員を宛先とする電子メールを受信する受信手段と、
該受信手段により受信した電子メールに付された送信元のメールアドレスが、該会員情報記憶手段に記憶されたメールアドレスに含まれているか否かを判定する判定手段と、
該判定手段により、送信元のメールアドレスが該会員情報記憶手段に記憶されたメールアドレスに含まれていると判定された場合に、該送信元のメールアドレスを該送信元のメールアドレスとは異なるメールアドレスに変換する変換手段と、
該受信手段により受信した電子メールを、該電子メールの宛先に対応する会員について会員情報記憶手段に記憶されたメールアドレスで、電子メールを送信するものと設定されているメールアドレスに送信する送信手段で、送信元のメールアドレスとして、該変換手段により変換されたメールアドレスの情報を付して電子メールを送信する送信手段と、
を有することを特徴とする電子メールシステム。
【請求項３】
電子メールの送受信を行う電子メールシステムであって、
各会員ごとに、会員を特定するためのデータと、１又は複数のメールアドレスのデータと、各メールアドレスについて電子メールの送信を行うか否かについてのデータとを記憶した会員情報記憶手段と、
電子メールの送信元となる各会員について、会員を特定するためのデータと、電子メールのデータで、少なくとも、電子メールシステムが受信した電子メールに付された宛先のメールアドレスのデータと、電子メールの内容のデータとからなる電子メールのデータを記憶する送信関係情報記憶手段と、
電子メールの宛先となる各会員について、会員を特定するためのデータと、電子メールのデータで、少なくとも、電子メールシステムが受信した電子メールに付された送信元のメールアドレスから変換して得た独自メールアドレスのデータと、電子メールの内容のデータとからなる電子メールのデータを記憶する受信関係情報記憶手段と、
外部から、所定のドメイン名を有するとともに該会員を特定するためのデータを有するメールアドレスを宛先とする電子メールを受信する受信手段と、
該受信手段により受信した電子メールに付された送信元のメールアドレスが、該会員情報記憶手段に記憶されたメールアドレスに含まれているか否かを判定する判定手段と、
該判定手段により、送信元のメールアドレスが該会員情報記憶手段に記憶されたメールアドレスに含まれていると判定された場合に、該送信元のメールアドレスを、該送信元のメールアドレスとは異なるメールアドレスで、該会員情報記憶手段に記憶された会員を特定するためのデータで該送信元のメールアドレスに対応するデータと、該所定のドメイン名とを有するメールアドレスである独自メールアドレスに変換する変換手段と、
該判定手段により、送信元のメールアドレスが該会員情報記憶手段に記憶されたメールアドレスに含まれていると判定された場合に、該電子メールに関するデータを送信関係情報記憶手段に記憶させる送信関係情報登録手段と、
該判定手段により、送信元のメールアドレスが該会員情報記憶手段に記憶されたメールアドレスに含まれていると判定された場合に、該電子メールに関するデータを受信関係情報記憶手段に記憶させる受信関係情報登録手段と、
該受信関係情報登録手段により電子メールに関するデータが登録された場合に、該電子メールを、該受信関係情報記憶手段に記憶された会員を特定するためのデータに対応する会員について会員情報記憶手段に記憶されたメールアドレスで、電子メールを送信するものと設定されているメールアドレスに送信する送信手段で、送信元のメールアドレスとして、該独自メールアドレスの情報を付して電子メールを送信する送信手段と、
を有することを特徴とする電子メールシステム。
【請求項４】
上記電子メールシステムが、
会員情報記憶手段に記憶された会員による電子メールシステムに接続された端末からの要求に従い、送信関係情報記憶手段に記憶されたデータで該会員に対応するデータを送信済メール一覧の状態で該端末に表示するために、送信関係情報記憶手段に記憶されたデータで該会員に対応するデータを送信済メール一覧の状態で端末に送信する第２送信手段と、
会員情報記憶手段に記憶された会員による電子メールシステムに接続された端末からの要求に従い、受信関係情報記憶手段に記憶されたデータで該会員に対応するデータを受信済メール一覧の状態で該端末に表示するために、受信関係情報記憶手段に記憶されたデータで該会員に対応するデータを受信済メール一覧の状態で端末に送信する第３送信手段と、
を有することを特徴とする請求項３に記載の電子メールシステム。
【請求項５】
上記電子メールシステムは、
電子メールシステムに接続された端末からの要求に従い、会員登録をするための画面を該端末に表示するために該会員登録をするための画面のデータを送信し、該端末において、該会員登録をするための画面が表示された状態で入力して電子メールシステムに送信されたデータが、上記会員情報記憶手段に記憶されることを特徴とする請求項１又は２又は３又は４に記載の電子メールシステム。
【請求項６】
上記会員情報記憶手段に記憶されるメールアドレスは、パーソナルコンピュータにおいて使用するメールアドレスと、携帯電話において使用するメールアドレスであることを特徴とする請求項１又は２又は３又は４又は５に記載の電子メールシステム。
【請求項７】
各会員ごとに、会員を特定するためのデータと、１又は複数のメールアドレスのデータとを記憶した会員情報記憶手段を有する電子メールシステムを用いて行う電子メールの送信方法であって、
外部から、該会員情報記憶手段に記憶されたいずれかの会員を宛先とする電子メールを受信する受信工程と、
該受信工程により受信した電子メールに付された送信元のメールアドレスが、該会員情報記憶手段に記憶されたメールアドレスに含まれているか否かを判定する判定工程と、
該判定工程により、送信元のメールアドレスが該会員情報記憶手段に記憶されたメールアドレスに含まれていると判定された場合に、該送信元のメールアドレスを該送信元のメールアドレスとは異なるメールアドレスに変換する変換工程と、
該受信工程により受信した電子メールを、該電子メールの宛先に対応する会員について会員情報記憶手段に記憶されたメールアドレスに送信する送信工程で、送信元のメールアドレスとして、該変換工程により変換されたメールアドレスの情報を付して電子メールを送信する送信工程と、
を有することを特徴とする電子メールの送信方法。
【請求項８】
各会員ごとに、会員を特定するためのデータと、１又は複数のメールアドレスのデータと、各メールアドレスについて電子メールの送信を行うか否かについてのデータとを記憶した会員情報記憶手段を有する電子メールシステムを用いて行う電子メールの送信方法であって、
外部から、該会員情報記憶手段に記憶されたいずれかの会員を宛先とする電子メールを受信する受信工程と、
該受信工程により受信した電子メールに付された送信元のメールアドレスが、該会員情報記憶手段に記憶されたメールアドレスに含まれているか否かを判定する判定工程と、
該判定工程により、送信元のメールアドレスが該会員情報記憶手段に記憶されたメールアドレスに含まれていると判定された場合に、該送信元のメールアドレスを該送信元のメールアドレスとは異なるメールアドレスに変換する変換工程と、
該受信工程により受信した電子メールを、該電子メールの宛先に対応する会員について会員情報記憶手段に記憶されたメールアドレスで、電子メールを送信するものと設定されているメールアドレスに送信する送信工程で、送信元のメールアドレスとして、該変換工程により変換されたメールアドレスの情報を付して電子メールを送信する送信工程と、
を有することを特徴とする電子メールの送信方法。
【請求項９】
各会員ごとに、会員を特定するためのデータと、１又は複数のメールアドレスのデータと、各メールアドレスについて電子メールの送信を行うか否かについてのデータとを記憶した会員情報記憶手段と、電子メールの送信元となる各会員について、会員を特定するためのデータと、電子メールのデータで、少なくとも、電子メールシステムが受信した電子メールに付された宛先のメールアドレスのデータと、電子メールの内容のデータとからなる電子メールのデータを記憶する送信関係情報記憶手段と、電子メールの宛先となる各会員について、会員を特定するためのデータと、電子メールのデータで、少なくとも、電子メールシステムが受信した電子メールに付された送信元のメールアドレスから変換して得た独自メールアドレスのデータと、電子メールの内容のデータとからなる電子メールのデータを記憶する受信関係情報記憶手段と、を有する電子メールシステムを用いて行う電子メールの送信方法であって、
外部から、所定のドメイン名を有するとともに該会員を特定するためのデータを有するメールアドレスを宛先とする電子メールを受信する受信工程と、
該受信工程により受信した電子メールに付された送信元のメールアドレスが、該会員情報記憶手段に記憶されたメールアドレスに含まれているか否かを判定する判定工程と、
該判定工程により、送信元のメールアドレスが該会員情報記憶手段に記憶されたメールアドレスに含まれていると判定された場合に、該送信元のメールアドレスを、該送信元のメールアドレスとは異なるメールアドレスで、該会員情報記憶手段に記憶された会員を特定するためのデータで該送信元のメールアドレスに対応するデータと、該所定のドメイン名とを有するメールアドレスである独自メールアドレスに変換する変換工程と、
該判定工程により、送信元のメールアドレスが該会員情報記憶手段に記憶されたメールアドレスに含まれていると判定された場合に、該電子メールに関するデータを送信関係情報記憶手段に記憶させる送信関係情報登録工程と、
該判定工程により、送信元のメールアドレスが該会員情報記憶手段に記憶されたメールアドレスに含まれていると判定された場合に、該電子メールに関するデータを受信関係情報記憶手段に記憶させる受信関係情報登録工程と、
該受信関係情報登録工程により電子メールに関するデータが登録された場合に、該電子メールを、該受信関係情報記憶手段に記憶された会員を特定するためのデータに対応する会員について会員情報記憶手段に記憶されたメールアドレスで、電子メールを送信するものと設定されているメールアドレスに送信する送信工程で、送信元のメールアドレスとして、該独自メールアドレスの情報を付して電子メールを送信する送信工程と、
を有することを特徴とする電子メールの送信方法。
【請求項１０】
上記電子メールの送信方法が、
会員情報記憶手段に記憶された会員による電子メールシステムに接続された端末からの要求に従い、送信関係情報記憶手段に記憶されたデータで該会員に対応するデータを送信済メール一覧の状態で該端末に表示するために、送信関係情報記憶手段に記憶されたデータで該会員に対応するデータを送信済メール一覧の状態で端末に送信する送信済情報送信工程と、
会員情報記憶手段に記憶された会員による電子メールシステムに接続された端末からの要求に従い、受信関係情報記憶手段に記憶されたデータで該会員に対応するデータを受信済メール一覧の状態で該端末に表示するために、受信関係情報記憶手段に記憶されたデータで該会員に対応するデータを受信済メール一覧の状態で端末に送信する受信済情報送信工程と、
を有することを特徴とする請求項９に記載の電子メールの送信方法。
【請求項１１】
電子メールシステムに接続された端末からの要求に従い、会員登録をするための画面を該端末に表示するために該会員登録をするための画面のデータを送信し、該端末において、該会員登録をするための画面が表示された状態で入力して電子メールシステムに送信されたデータが、上記会員情報記憶手段に記憶されることを特徴とする請求項７又は８又は９又は１０に記載の電子メールの送信方法。
【請求項１２】
上記会員情報記憶手段に記憶されるメールアドレスは、パーソナルコンピュータにおいて使用するメールアドレスと、携帯電話において使用するメールアドレスであることを特徴とする請求項７又は８又は９又は１０又は１１に記載の電子メールの送信方法。
【発明の詳細な説明】
【技術分野】
【０００１】
本発明は、電子メールシステムに関するものであり、特に、電子メールの送受信を行う電子メールシステムと、電子メールシステムによる電子メール送受信方法に関するものである。
【背景技術】
【０００２】
従来、電子メール（以下単に「メール」とする場合もある）を送受信する電子メールシステム、いわゆるメールサーバにおいては、送信元である端末から宛先の端末に電子メールを送信する場合には、宛先を指定して電子メールアドレス（以下単に「メールアドレス」とする）を送信すると、送信された電子メールは、所定のメールサーバに送信されて該メールサーバ内に保持され、宛先の端末から該メールサーバに対して電子メールの受信を指示することにより、該宛先に送られた電子メールを受信して宛先の端末に表示される。その際、受信した電子メールには、宛先の情報のみならず送信元の情報も表示され、該送信元の情報としては、送信元の電子メールが表示される。
【０００３】
また、電子メールを送受信する端末としては、パソコンや携帯電話等があるが、あるユーザがパソコンと携帯電話の両方を電子メールの送受信に利用する場合には、パソコンについてはパソコン用のメールアドレスを使用し、携帯電話については携帯電話用のメールアドレスを使用することになる。
【０００４】
また、出会いを目的としたＷＥＢサイト（いわゆる、出会い系サイト）において、あるユーザが他のユーザと電子メールの送受信を行うことができる機能が設けられているが、その場合には、本人の確認を行うために本人の認証を行ってログインを行うのが通常である。つまり、そのようなＷＥＢサイトを用いて電子メールの送受信を行うには、電子メールの送受信を行うためだけの場合でも、本人の認証を行ってログインを行なう必要がある。
【０００５】
なお、出願人は、先行技術文献の調査は行っておらず、記載すべき先行技術文献は存在しない。
【発明の開示】
【発明が解決しようとする課題】
【０００６】
しかし、従来の電子メール送受信システムにおいては、受信した電子メールに送信元の電子メールが表示されるので、送信元の電子メールが相手側に判明してしまう。
【０００７】
また、あるユーザがパソコンと携帯電話の両方を電子メールの送受信に利用する場合には、パソコンについてはパソコン用のメールアドレスを使用し、携帯電話については携帯電話用のメールアドレスを使用することになるため、他のユーザが該ユーザに電子メールを送信する場合には、該ユーザのパソコン宛に送信する場合には、パソコン用のメールアドレスを宛先として送信し、一方、該ユーザの携帯電話のメールアドレス宛に送信する必要があり、パソコンと携帯電話の両方に電子メールを送信する場合には、それぞれに電子メールを送信する作業を行わなければならない。また、該ユーザにとっても、自分宛に来た電子メールをチェックするには、パソコンと携帯電話の両方を確認しなければならず、また、該ユーザが送信済みの電子メールをチェックする場合にも、パソコンと携帯電話の両方を確認しなけれなならず、面倒である。
【０００８】
この点は、パソコンと携帯電話を使用する場合のみならず、複数の端末を使用する場合にも同様の問題がある。例えば、あるユーザが２台のパソコンを電子メールの送受信に使用し、各パソコンについて、それぞれ異なる電子メールを用いている場合には、他のユーザが２台のパソコンの両方に電子メールを送信する場合には、それぞれに電子メールを送信する作業を行わなければならない。また、該ユーザにとっても、自分宛に来た電子メールをチェックするには、２台のパソコンのそれぞれについて確認しなければならず、また、該ユーザが送信済みの電子メールをチェックする場合にも、２台のパソコンの両方を確認しなけれなならず面倒である。
【０００９】
また、出会いを目的としたＷＥＢサイトにおいては、電子メールの送受信を行うだけの場合でもログインの作業が必要であり、面倒であった。特に、ＩＤやパスワードを忘れてしまうと、電子メールの送受信のみの場合でも行なうことができないという不便さがあった。
【００１０】
そこで、本発明は、電子メールの宛先に自分のメールアドレスが判明することがなく、また、パソコンや携帯電話等複数の端末についてそれぞれ異なるメールアドレスを使用する場合でも、複数の端末を用いるユーザや該ユーザに電子メールを送る他のユーザにとって至便となり、さらには、出会いを目的としたＷＥＢサイトに用いた場合に、電子メールの送受信のみの場合には認証の手続を不要とすることができる電子メールシステムと電子メール送信方法を提供することを目的とするものである。
【課題を解決するための手段】
【００１１】
本発明は上記問題点を解決するために創作されたものであって、第１には、電子メールの送受信を行う電子メールシステム（サーバコンピュータとしてもよい。他においても同じ）であって、各会員ごとに、会員を特定するためのデータと、１又は複数のメールアドレスのデータとを記憶した会員情報記憶手段と、外部（具体的には、外部のメールサーバ）から、該会員情報記憶手段に記憶されたいずれかの会員を宛先とする電子メールを受信する受信手段と、該受信手段により受信した電子メールに付された送信元のメールアドレスが、該会員情報記憶手段に記憶されたメールアドレスに含まれているか否かを判定する判定手段と、該判定手段により、送信元のメールアドレスが該会員情報記憶手段に記憶されたメールアドレスに含まれていると判定された場合に、該送信元のメールアドレスを該送信元のメールアドレスとは異なるメールアドレスに変換する変換手段と、該受信手段により受信した電子メールを、該電子メールの宛先に対応する会員について会員情報記憶手段に記憶されたメールアドレスに送信する送信手段で、送信元のメールアドレスとして、該変換手段により変換されたメールアドレスの情報を付して電子メールを送信する送信手段と、を有することを特徴とする。
【００１２】
この第１の構成の電子メールシステムにおいては、受信手段が、外部から、該会員情報記憶手段に記憶されたいずれかの会員を宛先とする電子メールを受信すると、判定手段が、該受信手段により受信した電子メールに付された送信元のメールアドレスが、該会員情報記憶手段に記憶されたメールアドレスに含まれているか否かを判定する。そして、該判定手段により、送信元のメールアドレスが該会員情報記憶手段に記憶されたメールアドレスに含まれていると判定された場合には、変換手段が、該送信元のメールアドレスを該送信元のメールアドレスとは異なるメールアドレスに変換する。そして、送信手段が、該受信手段により受信した電子メールを、該電子メールの宛先に対応する会員について会員情報記憶手段に記憶されたメールアドレスに送信する。その際、送信元のメールアドレスとして、該変換手段により変換されたメールアドレスの情報を付して電子メールを送信する。
【００１３】
よって、電子メールの宛先には、送信元のメールアドレスとして変換されたメールアドレスが表示されるので、宛先に対して、電子メールの送信元のメールアドレスが知られることがない。また、会員情報記憶手段には、メール送信を行うべき１又は複数のメールアドレスが記憶されているので、複数のメールアドレスを記憶しておくことにより、複数の端末で電子メールを受信することができ、電子メールの送信側としては、各端末のそれぞれに電子メールを送信する煩わしさがなく、また、電子メールの受信側としても、複数の端末のいずれにも電子メールが送信されるので、複数の端末のうちのいずれかで自分宛に来た電子メールをチェックすればよく、自分宛に来たメールを見落とすおそれが小さくなる。また、各端末における電子メールの送受信の操作においては、各端末において電子メールを送受信する操作を行うのみでよく、電子メールシステムにログインする必要がないので便利である。
【００１４】
また、第２には、電子メールの送受信を行う電子メールシステムであって、各会員ごとに、会員を特定するためのデータと、１又は複数のメールアドレスのデータと、各メールアドレスについて電子メールの送信を行うか否かについてのデータとを記憶した会員情報記憶手段と、外部（具体的には、外部のメールサーバ）から、該会員情報記憶手段に記憶されたいずれかの会員を宛先とする電子メールを受信する受信手段と、該受信手段により受信した電子メールに付された送信元のメールアドレスが、該会員情報記憶手段に記憶されたメールアドレスに含まれているか否かを判定する判定手段と、該判定手段により、送信元のメールアドレスが該会員情報記憶手段に記憶されたメールアドレスに含まれていると判定された場合に、該送信元のメールアドレスを該送信元のメールアドレスとは異なるメールアドレスに変換する変換手段と、該受信手段により受信した電子メールを、該電子メールの宛先に対応する会員について会員情報記憶手段に記憶されたメールアドレスで、電子メールを送信するものと設定されているメールアドレスに送信する送信手段で、送信元のメールアドレスとして、該変換手段により変換されたメールアドレスの情報を付して電子メールを送信する送信手段と、を有することを特徴とする。
【００１５】
この第２の構成の電子メールシステムにおいては、受信手段が、外部から、該会員情報記憶手段に記憶されたいずれかの会員を宛先とする電子メールを受信すると、該判定手段が、該受信手段により受信した電子メールに付された送信元のメールアドレスが、該会員情報記憶手段に記憶されたメールアドレスに含まれているか否かを判定する。そして、該判定手段により、送信元のメールアドレスが該会員情報記憶手段に記憶されたメールアドレスに含まれていると判定された場合には、変換手段が、該送信元のメールアドレスを該送信元のメールアドレスとは異なるメールアドレスに変換する。そして、送信手段が、該受信手段により受信した電子メールを、該電子メールの宛先に対応する会員について会員情報記憶手段に記憶されたメールアドレスで、電子メールを送信するものと設定されているメールアドレスに送信する。その際、送信元のメールアドレスとして、該変換手段により変換されたメールアドレスの情報を付して電子メールを送信する。
【００１６】
よって、電子メールの宛先には、送信元のメールアドレスとして変換されたメールアドレスが表示されるので、宛先に対して、電子メールの送信元のメールアドレスが知られることがない。また、会員情報記憶手段には、メール送信を行うべき１又は複数のメールアドレスが記憶されているので、複数のメールアドレスを記憶しておくことにより、複数の端末で電子メールを受信することができ、電子メールの送信側としては、各端末のそれぞれに電子メールを送信する煩わしさがなく、また、電子メールの受信側としても、複数の端末のいずれにも電子メールが送信されるので、複数の端末のうちのいずれかで自分宛に来た電子メールをチェックすればよく、自分宛に来たメールを見落とすおそれが小さくなる。さらに、会員情報記憶手段には、登録された各メールアドレスについて電子メールの送信を行うか否かについてのデータが記憶されており、送信手段は、電子メールを送信するものと設定されているメールアドレスに送信するので、会員情報記憶手段における設定を所望の設定にすることにより、電子メールを受信したい端末を選択することができる。また、各端末における電子メールの送受信の操作においては、各端末において電子メールを送受信する操作を行うのみでよく、電子メールシステムにログインする必要がないので便利である。
【００１７】
また、第３には、電子メールの送受信を行う電子メールシステムであって、各会員ごとに、会員を特定するためのデータと、１又は複数のメールアドレスのデータと、各メールアドレスについて電子メールの送信を行うか否かについてのデータとを記憶した会員情報記憶手段と、電子メールの送信元となる各会員について、会員を特定するためのデータと、電子メールのデータを記憶する送信メール記憶手段で、少なくとも、電子メールシステムが受信した電子メールに付された宛先のメールアドレスのデータと、電子メールの内容のデータとを記憶する送信関係情報記憶手段と、電子メールの宛先となる各会員について、会員を特定するためのデータと、電子メールのデータを記憶する受信メール記憶手段で、少なくとも、電子メールシステムが受信した電子メールに付された送信元のメールアドレスから変換して得た独自メールアドレスのデータと、電子メールの内容のデータとを記憶する受信関係情報記憶手段と、外部（具体的には、外部のメールサーバ）から、所定のドメイン名を有するとともに該会員を特定するためのデータを有するメールアドレスを宛先とする電子メールを受信する受信手段と、該受信手段により受信した電子メールに付された送信元のメールアドレスが、該会員情報記憶手段に記憶されたメールアドレスに含まれているか否かを判定する判定手段と、該判定手段により、送信元のメールアドレスが該会員情報記憶手段に記憶されたメールアドレスに含まれていると判定された場合に、該送信元のメールアドレスを、該送信元のメールアドレスとは異なるメールアドレスで、該会員情報記憶手段に記憶された会員を特定するためのデータで該送信元のメールアドレスに対応するデータと、該所定のドメイン名とを有するメールアドレスである独自メールアドレスに変換する変換手段と、該判定手段により、送信元のメールアドレスが該会員情報記憶手段に記憶されたメールアドレスに含まれていると判定された場合に、該電子メールに関するデータを送信関係情報記憶手段に記憶させる送信関係情報登録手段と、該判定手段により、送信元のメールアドレスが該会員情報記憶手段に記憶されたメールアドレスに含まれていると判定された場合に、該電子メールに関するデータを受信関係情報記憶手段に記憶させる受信関係情報登録手段と、該受信関係情報登録手段により電子メールに関するデータが登録された場合に、該電子メールを、該受信関係情報記憶手段に記憶された会員を特定するためのデータに対応する会員について会員情報記憶手段に記憶されたメールアドレスで、電子メールを送信するものと設定されているメールアドレスに送信する送信手段で、送信元のメールアドレスとして、該独自メールアドレスの情報を付して電子メールを送信する送信手段と、を有することを特徴とする。
【００１８】
この第３の構成の電子メールシステムにおいては、受信手段が、外部から、所定のドメイン名を有するとともに該会員を特定するためのデータを有するメールアドレスを宛先とする電子メールを受信すると、判定手段が、該受信手段により受信した電子メールに付された送信元のメールアドレスが、該会員情報記憶手段に記憶されたメールアドレスに含まれているか否かを判定する。そして、該判定手段により、送信元のメールアドレスが該会員情報記憶手段に記憶されたメールアドレスに含まれていると判定された場合に、変換手段が、該送信元のメールアドレスを、該送信元のメールアドレスとは異なるメールアドレスで、該会員情報記憶手段に記憶された会員を特定するためのデータで該送信元のメールアドレスに対応するデータと、該所定のドメイン名とを有するメールアドレスである独自メールアドレスに変換する。そして、該判定手段により、送信元のメールアドレスが該会員情報記憶手段に記憶されたメールアドレスに含まれていると判定された場合には、送信関係情報登録手段が該電子メールに関するデータを送信関係情報記憶手段に記憶させ、また、受信関係情報登録手段が、該電子メールに関するデータを受信関係情報記憶手段に記憶させる。そして、該受信関係情報登録手段により電子メールに関するデータが登録された場合に、送信手段が、該電子メールを、該受信関係情報記憶手段に記憶された会員を特定するためのデータに対応する会員について会員情報記憶手段に記憶されたメールアドレスで、電子メールを送信するものと設定されているメールアドレスに送信する。その際、送信元のメールアドレスとして、該独自メールアドレスの情報を付して電子メールを送信する。
【００１９】
よって、電子メールの宛先には、送信元のメールアドレスとして独自メールアドレスが表示されるので、宛先に対して、電子メールの送信元のメールアドレスが知られることがない。また、会員情報記憶手段には、メール送信を行うべき１又は複数のメールアドレスが記憶されているので、複数のメールアドレスを記憶しておくことにより、複数の端末で電子メールを受信することができ、電子メールの送信側としては、各端末のそれぞれに電子メールを送信する煩わしさがなく、また、電子メールの受信側としても、複数の端末のいずれにも電子メールが送信されるので、複数の端末のうちのいずれかで自分宛に来た電子メールをチェックすればよく、自分宛に来たメールを見落とすおそれが小さくなる。さらに、会員情報記憶手段には、登録された各メールアドレスについて電子メールの送信を行うか否かについてのデータが記憶されており、送信手段は、電子メールを送信するものと設定されているメールアドレスに送信するので、会員情報記憶手段における設定を所望の設定にすることにより、電子メールを受信したい端末を選択することができる。また、各端末における電子メールの送受信の操作においては、各端末において電子メールを送受信する操作を行うのみでよく、電子メールシステムにログインする必要がないので便利である。また、送信関係情報記憶手段と受信関係情報記憶手段が設けられて、送信関係情報登録手段や受信関係情報登録手段により登録されるので、送信関係情報記憶手段に記憶されたデータによれば、各会員の送信済の電子メールのデータを把握でき、受信関係情報記憶手段に記憶されたデータによれば、各会員の受信済の電子メールのデータを把握できる。
【００２０】
また、第４には、上記第３の構成において、上記電子メールシステムが、会員情報記憶手段に記憶された会員による電子メールシステムに接続された端末からの要求に従い、送信関係情報記憶手段に記憶されたデータで該会員に対応するデータを送信済メール一覧の状態で該端末に表示するために、送信関係情報記憶手段に記憶されたデータで該会員に対応するデータを送信済メール一覧の状態で端末に送信する第２送信手段と、会員情報記憶手段に記憶された会員による電子メールシステムに接続された端末からの要求に従い、受信関係情報記憶手段に記憶されたデータで該会員に対応するデータを受信済メール一覧の状態で該端末に表示するために、受信関係情報記憶手段に記憶されたデータで該会員に対応するデータを受信済メール一覧の状態で端末に送信する第３送信手段と、を有することを特徴とする。
【００２１】
これにより、会員は、第２送信手段から送られる情報により送信済みの電子メールのデータを知ることができ、また、第３送信手段から送られる情報により受信済みの電子メールのデータを知ることができる。
【００２２】
また、第５には、上記第１から第４までのいずれかの構成において、上記電子メールシステムは、電子メールシステムに接続された端末からの要求に従い、会員登録をするための画面を該端末に表示するために該会員登録をするための画面のデータを送信し、該端末において、該会員登録をするための画面が表示された状態で入力して電子メールシステムに送信されたデータが、上記会員情報記憶手段に記憶されることを特徴とする。
【００２３】
また、第６には、上記第１から第５までのいずれかの構成において、上記会員情報記憶手段に記憶されるメールアドレスは、パーソナルコンピュータにおいて使用するメールアドレスと、携帯電話において使用するメールアドレスであることを特徴とする。よって、パーソナルコンピュータと携帯電話の双方に電子メールを送信することが可能となる。
【００２４】
また、第７には、各会員ごとに、会員を特定するためのデータと、１又は複数のメールアドレスのデータとを記憶した会員情報記憶手段を有する電子メールシステムを用いて行う電子メールの送信方法であって、外部（具体的には、外部のメールサーバ）から、該会員情報記憶手段に記憶されたいずれかの会員を宛先とする電子メールを受信する受信工程と、該受信工程により受信した電子メールに付された送信元のメールアドレスが、該会員情報記憶手段に記憶されたメールアドレスに含まれているか否かを判定する判定工程と、該判定工程により、送信元のメールアドレスが該会員情報記憶手段に記憶されたメールアドレスに含まれていると判定された場合に、該送信元のメールアドレスを該送信元のメールアドレスとは異なるメールアドレスに変換する変換工程と、該受信工程により受信した電子メールを、該電子メールの宛先に対応する会員について会員情報記憶手段に記憶されたメールアドレスに送信する送信工程で、送信元のメールアドレスとして、該変換工程により変換されたメールアドレスの情報を付して電子メールを送信する送信工程と、を有することを特徴とする。
【００２５】
この第７の構成の電子メールの送信方法においては、受信工程において、外部から、該会員情報記憶手段に記憶されたいずれかの会員を宛先とする電子メールを受信すると、判定工程において、該受信工程により受信した電子メールに付された送信元のメールアドレスが、該会員情報記憶手段に記憶されたメールアドレスに含まれているか否かを判定する。そして、該判定工程により、送信元のメールアドレスが該会員情報記憶手段に記憶されたメールアドレスに含まれていると判定された場合には、変換工程において、該送信元のメールアドレスを該送信元のメールアドレスとは異なるメールアドレスに変換する。そして、送信工程において、該受信工程により受信した電子メールを、該電子メールの宛先に対応する会員について会員情報記憶手段に記憶されたメールアドレスに送信する。その際、送信元のメールアドレスとして、該変換手段により変換されたメールアドレスの情報を付して電子メールを送信する。
【００２６】
よって、電子メールの宛先には、送信元のメールアドレスとして変換されたメールアドレスが表示されるので、宛先に対して、電子メールの送信元のメールアドレスが知られることがない。また、会員情報記憶手段には、メール送信を行うべき１又は複数のメールアドレスが記憶されているので、複数のメールアドレスを記憶しておくことにより、複数の端末で電子メールを受信することができ、電子メールの送信側としては、各端末のそれぞれに電子メールを送信する煩わしさがなく、また、電子メールの受信側としても、複数の端末のいずれにも電子メールが送信されるので、複数の端末のうちのいずれかで自分宛に来た電子メールをチェックすればよく、自分宛に来たメールを見落とすおそれが小さくなる。また、各端末における電子メールの送受信の操作においては、各端末において電子メールを送受信する操作を行うのみでよく、電子メールシステムにログインする必要がないので便利である。
【００２７】
また、第８には、各会員ごとに、会員を特定するためのデータと、１又は複数のメールアドレスのデータと、各メールアドレスについて電子メールの送信を行うか否かについてのデータとを記憶した会員情報記憶手段を有する電子メールシステムを用いて行う電子メールの送信方法であって、外部（具体的には、外部のメールサーバ）から、該会員情報記憶手段に記憶されたいずれかの会員を宛先とする電子メールを受信する受信工程と、該受信工程により受信した電子メールに付された送信元のメールアドレスが、該会員情報記憶手段に記憶されたメールアドレスに含まれているか否かを判定する判定工程と、該判定工程により、送信元のメールアドレスが該会員情報記憶手段に記憶されたメールアドレスに含まれていると判定された場合に、該送信元のメールアドレスを該送信元のメールアドレスとは異なるメールアドレスに変換する変換工程と、該受信工程により受信した電子メールを、該電子メールの宛先に対応する会員について会員情報記憶手段に記憶されたメールアドレスで、電子メールを送信するものと設定されているメールアドレスに送信する送信工程で、送信元のメールアドレスとして、該変換工程により変換されたメールアドレスの情報を付して電子メールを送信する送信工程と、を有することを特徴とする。
【００２８】
この第８の構成の電子メールの送信方法においては、受信工程において、外部から、該会員情報記憶手段に記憶されたいずれかの会員を宛先とする電子メールを受信すると、該判定工程において、該受信工程により受信した電子メールに付された送信元のメールアドレスが、該会員情報記憶手段に記憶されたメールアドレスに含まれているか否かを判定する。そして、該判定工程により、送信元のメールアドレスが該会員情報記憶手段に記憶されたメールアドレスに含まれていると判定された場合には、変換工程において、該送信元のメールアドレスを該送信元のメールアドレスとは異なるメールアドレスに変換する。そして、送信工程において、該受信工程により受信した電子メールを、該電子メールの宛先に対応する会員について会員情報記憶手段に記憶されたメールアドレスで、電子メールを送信するものと設定されているメールアドレスに送信する。その際、送信元のメールアドレスとして、該変換工程により変換されたメールアドレスの情報を付して電子メールを送信する。
【００２９】
よって、電子メールの宛先には、送信元のメールアドレスとして変換されたメールアドレスが表示されるので、宛先に対して、電子メールの送信元のメールアドレスが知られることがない。また、会員情報記憶手段には、メール送信を行うべき１又は複数のメールアドレスが記憶されているので、複数のメールアドレスを記憶しておくことにより、複数の端末で電子メールを受信することができ、電子メールの送信側としては、各端末のそれぞれに電子メールを送信する煩わしさがなく、また、電子メールの受信側としても、複数の端末のいずれにも電子メールが送信されるので、複数の端末のうちのいずれかで自分宛に来た電子メールをチェックすればよく、自分宛に来たメールを見落とすおそれが小さくなる。さらに、会員情報記憶手段には、登録された各メールアドレスについて電子メールの送信を行うか否かについてのデータが記憶されており、送信手段は、電子メールを送信するものと設定されているメールアドレスに送信するので、会員情報記憶手段における設定を所望の設定にすることにより、電子メールを受信したい端末を選択することができる。また、各端末における電子メールの送受信の操作においては、各端末において電子メールを送受信する操作を行うのみでよく、電子メールシステムにログインする必要がないので便利である。
【００３０】
また、第９には、各会員ごとに、会員を特定するためのデータと、１又は複数のメールアドレスのデータと、各メールアドレスについて電子メールの送信を行うか否かについてのデータとを記憶した会員情報記憶手段と、電子メールの送信元となる各会員について、会員を特定するためのデータと、電子メールのデータを記憶する送信メール記憶手段で、少なくとも、電子メールシステムが受信した電子メールに付された宛先のメールアドレスのデータと、電子メールの内容のデータとを記憶する送信関係情報記憶手段と、電子メールの宛先となる各会員について、会員を特定するためのデータと、電子メールのデータを記憶する受信メール記憶手段で、少なくとも、電子メールシステムが受信した電子メールに付された送信元のメールアドレスから変換して得た独自メールアドレスのデータと、電子メールの内容のデータとを記憶する受信関係情報記憶手段と、を有する電子メールシステムを用いて行う電子メールの送信方法であって、外部（具体的には、外部のメールサーバ）から、所定のドメイン名を有するとともに該会員を特定するためのデータを有するメールアドレスを宛先とする電子メールを受信する受信工程と、該受信工程により受信した電子メールに付された送信元のメールアドレスが、該会員情報記憶手段に記憶されたメールアドレスに含まれているか否かを判定する判定工程と、該判定工程により、送信元のメールアドレスが該会員情報記憶手段に記憶されたメールアドレスに含まれていると判定された場合に、該送信元のメールアドレスを、該送信元のメールアドレスとは異なるメールアドレスで、該会員情報記憶手段に記憶された会員を特定するためのデータで該送信元のメールアドレスに対応するデータと、該所定のドメイン名とを有するメールアドレスである独自メールアドレスに変換する変換工程と、該判定工程により、送信元のメールアドレスが該会員情報記憶手段に記憶されたメールアドレスに含まれていると判定された場合に、該電子メールに関するデータを送信関係情報記憶手段に記憶させる送信関係情報登録工程と、該判定工程により、送信元のメールアドレスが該会員情報記憶手段に記憶されたメールアドレスに含まれていると判定された場合に、該電子メールに関するデータを受信関係情報記憶手段に記憶させる受信関係情報登録工程と、該受信関係情報登録工程により電子メールに関するデータが登録された場合に、該電子メールを、該受信関係情報記憶手段に記憶された会員を特定するためのデータに対応する会員について会員情報記憶手段に記憶されたメールアドレスで、電子メールを送信するものと設定されているメールアドレスに送信する送信工程で、送信元のメールアドレスとして、該独自メールアドレスの情報を付して電子メールを送信する送信工程と、を有することを特徴とする。
【００３１】
この第９の構成の電子メールの送信方法においては、受信工程において、外部から、所定のドメイン名を有するとともに該会員を特定するためのデータを有するメールアドレスを宛先とする電子メールを受信すると、判定工程において、該受信工程により受信した電子メールに付された送信元のメールアドレスが、該会員情報記憶手段に記憶されたメールアドレスに含まれているか否かを判定する。そして、該判定工程において、送信元のメールアドレスが該会員情報記憶手段に記憶されたメールアドレスに含まれていると判定された場合に、変換工程において、該送信元のメールアドレスを、該送信元のメールアドレスとは異なるメールアドレスで、該会員情報記憶手段に記憶された会員を特定するためのデータで該送信元のメールアドレスに対応するデータと、該所定のドメイン名とを有するメールアドレスである独自メールアドレスに変換する。そして、該判定工程により、送信元のメールアドレスが該会員情報記憶手段に記憶されたメールアドレスに含まれていると判定された場合には、送信関係情報登録工程において、該電子メールに関するデータを送信関係情報記憶手段に記憶させ、また、受信関係情報登録工程において、該電子メールに関するデータを受信関係情報記憶手段に記憶させる。そして、該受信関係情報登録工程により電子メールに関するデータが登録された場合に、送信工程において、該電子メールを、該受信関係情報記憶手段に記憶された会員を特定するためのデータに対応する会員について会員情報記憶手段に記憶されたメールアドレスで、電子メールを送信するものと設定されているメールアドレスに送信する。その際、送信元のメールアドレスとして、該独自メールアドレスの情報を付して電子メールを送信する。
【００３２】
よって、電子メールの宛先には、送信元のメールアドレスとして独自メールアドレスが表示されるので、宛先に対して、電子メールの送信元のメールアドレスが知られることがない。また、会員情報記憶手段には、メール送信を行うべき１又は複数のメールアドレスが記憶されているので、複数のメールアドレスを記憶しておくことにより、複数の端末で電子メールを受信することができ、電子メールの送信側としては、各端末のそれぞれに電子メールを送信する煩わしさがなく、また、電子メールの受信側としても、複数の端末のいずれにも電子メールが送信されるので、複数の端末のうちのいずれかで自分宛に来た電子メールをチェックすればよく、自分宛に来たメールを見落とすおそれが小さくなる。さらに、会員情報記憶手段には、登録された各メールアドレスについて電子メールの送信を行うか否かについてのデータが記憶されており、送信手段は、電子メールを送信するものと設定されているメールアドレスに送信するので、会員情報記憶手段における設定を所望の設定にすることにより、電子メールを受信したい端末を選択することができる。また、各端末における電子メールの送受信の操作においては、各端末において電子メールを送受信する操作を行うのみでよく、電子メールシステムにログインする必要がないので便利である。また、送信関係情報記憶手段と受信関係情報記憶手段が設けられて、送信関係情報登録手段や受信関係情報登録手段により登録されるので、送信関係情報記憶手段に記憶されたデータによれば、各会員の送信済の電子メールのデータを把握でき、受信関係情報記憶手段に記憶されたデータによれば、各会員の受信済の電子メールのデータを把握できる。
【００３３】
また、第１０には、上記第９の構成において、上記電子メールの送信方法が、会員情報記憶手段に記憶された会員による電子メールシステムに接続された端末からの要求に従い、送信関係情報記憶手段に記憶されたデータで該会員に対応するデータを送信済メール一覧の状態で該端末に表示するために、送信関係情報記憶手段に記憶されたデータで該会員に対応するデータを送信済メール一覧の状態で端末に送信する送信済情報送信工程と、会員情報記憶手段に記憶された会員による電子メールシステムに接続された端末からの要求に従い、受信関係情報記憶手段に記憶されたデータで該会員に対応するデータを受信済メール一覧の状態で該端末に表示するために、受信関係情報記憶手段に記憶されたデータで該会員に対応するデータを受信済メール一覧の状態で端末に送信する受信済情報送信工程と、を有することを特徴とする。
【００３４】
これにより、会員は、送信済情報送信工程により送られる情報により送信済みの電子メールのデータを知ることができ、また、受信済情報送信手段から送られる情報により受信済みの電子メールのデータを知ることができる。
【００３５】
また、第１１には、上記第７から第１０までのいずれかの構成において、電子メールシステムに接続された端末からの要求に従い、会員登録をするための画面を該端末に表示するために該会員登録をするための画面のデータを送信し、該端末において、該会員登録をするための画面が表示された状態で入力して電子メールシステムに送信されたデータが、上記会員情報記憶手段に記憶されることを特徴とする。
【００３６】
また、第１２には、上記第７から第１１までのいずれかの構成において、上記会員情報記憶手段に記憶されるメールアドレスは、パーソナルコンピュータにおいて使用するメールアドレスと、携帯電話において使用するメールアドレスであることを特徴とする。よって、パーソナルコンピュータと携帯電話の双方に電子メールを送信することが可能となる。
【００３７】
なお、上記各構成、特に、第１と第７の構成において、「各会員ごとに、会員を特定するためのデータと、１又は複数のメールアドレスのデータとを記憶した会員情報記憶手段」とあるのを「各会員ごとに、会員を特定するためのデータと、複数のメールアドレスのデータとを記憶可能な会員情報記憶手段で、各会員について、１又は複数のメールアドレスのデータを記憶した会員情報記憶手段」としてもよい。また、「各会員ごとに、会員を特定するためのデータと、１又は複数のメールアドレスのデータとを記憶可能な会員情報記憶手段で、各会員について、１又は複数のメールアドレスのデータを記憶した会員情報記憶手段」としてもよい。
【００３８】
また、上記各構成、特に、第２と第３と第８と第９の構成において、「各会員ごとに、会員を特定するためのデータと、１又は複数のメールアドレスのデータと、各メールアドレスについて電子メールの送信を行うか否かについてのデータとを記憶した会員情報記憶手段」とあるのを「各会員ごとに、会員を特定するためのデータと、複数のメールアドレスのデータと、各メールアドレスについて電子メールの送信を行うか否かについてのデータとを記憶可能な会員情報記憶手段で、各会員について、１又は複数のメールアドレスのデータを記憶した会員情報記憶手段」としてもよい。また、「各会員ごとに、会員を特定するためのデータと、１又は複数のメールアドレスのデータと、各メールアドレスについて電子メールの送信を行うか否かについてのデータとを記憶可能な会員情報記憶手段で、各会員について、１又は複数のメールアドレスのデータを記憶した会員情報記憶手段」としてもよい。
【発明の効果】
【００３９】
本発明に基づく電子メールシステム及び電子メール送受信方法によれば、電子メールの宛先には、送信元のメールアドレスとして変換されたメールアドレスが表示されるので、宛先に対して、電子メールの送信元のメールアドレスが知られることがない。また、会員情報記憶手段には、メール送信を行うべき１又は複数のメールアドレスが記憶されているので、複数のメールアドレスを記憶しておくことにより、複数の端末で電子メールを受信することができ、電子メールの送信側としては、各端末のそれぞれに電子メールを送信する煩わしさがなく、また、電子メールの受信側としても、複数の端末のいずれにも電子メールが送信されるので、複数の端末のうちのいずれかで自分宛に来た電子メールをチェックすればよく、自分宛に来たメールを見落とすおそれが小さくなる。また、各端末における電子メールの送受信の操作においては、各端末において電子メールを送受信する操作を行うのみでよく、電子メールシステムにログインする必要がないので便利である。
【発明を実施するための最良の形態】
【００４０】
本発明においては、電子メールシステムと電子メール送信方法で、電子メールの宛先に自分の電子メールが判明することがなく、また、パソコンや携帯電話等複数の端末についてそれぞれ異なるメールアドレスを使用する場合でも、複数の端末を用いるユーザや該ユーザに電子メールを送る他のユーザにとって至便となり、さらには、出会いを目的としたＷＥＢサイトに用いた場合に、電子メールの送受信のみの場合には認証の手続を不要とすることができる電子メールシステムと電子メール送信方法を提供するという目的を以下のようにして実現した。
【００４１】
本発明に基づく電子メールシステムとしてのサーバ（サーバ側端末、サーバコンピュータとしてもよい。電子メールシステムとしてもよい。）Ａは、インターネットを介して外部の端末と接続可能となっている。つまり、図１に示すように、サーバＡは、端末Ｂ１や、パソコン端末Ｂ２や、携帯電話端末Ｂ３や、Ｐ社メールサーバＣ１や、Ｑ社メールサーバＣ２や、Ｒ社メールサーバＣ３とインターネットによる通信回線網Ｎを介して通信可能となっている。このサーバＡは、端末Ｂ１等と電気通信回線（有線及び無線を含む）により接続されているともいえる。
【００４２】
サーバＡの構成について説明すると、サーバＡは、図１に示すように、通信部１０と、記憶部２０と、ＣＰＵ３０とを有している。
【００４３】
ここで、通信部１０は、外部とのデータの入出力を制御するものであり、インターネットを介して外部との通信を可能とする通信装置により構成される。つまり、この通信部１０は、外部とのインターフェースとして機能するものである。
【００４４】
また、記憶部２０は、各種情報を記憶するための記憶装置であり、主として、補助記憶装置として機能する。この記憶部２０は、プログラム格納部２２と、データ格納部２４とを有している。
【００４５】
このプログラム格納部２２は、サーバＡを動作させるための各種プログラムを格納する記憶部であり、主としてＣＰＵ３０の動作を制御するためのプログラムを格納する。このプログラムとしては、主として、図５や図６のフローチャートに示す動作を行うためのプログラムが格納されている。すなわち、電子メールを受信したり送信したりするプログラムである電子メール送受信プログラムや、電子メールを受信した場合に、送信元メールアドレス（差出人メールアドレスとしてもよい。以下においても同じ）が登録されているか否かを判定する登録判定プログラムや、該判定プログラムにより送信元メールアドレスが登録されていると判定された場合に、送信元メールアドレスを独自メールアドレスに変換するプログラムである変換プログラムや、該判定プログラムにより送信元メールアドレスが登録されていると判定された場合に、送信テーブルＴ２や受信テーブルＴ３にメールを記録するためのプログラムである記録プログラムや、受信テーブルＴ３にメールが記録された場合に、第１メールアドレスにメールを送信する必要があるか否かの設定や第２メールアドレスにメールを送信する必要があるか否かの設定を判定するプログラムである設定判定プログラムが格納されている。また、外部の端末からアクセスされた場合等に所定の画面（例えば、図８〜図１０に示す画面）を表示させるためのプログラムである画面表示プログラムや、外部の端末における入力に基づいて受信したデータを検知するためのプログラムである入力検知プログラム等が格納されている。また、会員登録ページＧ１に入力された情報を会員情報テーブルＴ１に登録を行なうプログラムである会員登録プログラムも格納されている。このプログラム格納部２２は、記憶装置に各プログラムを格納した状態で構成される。
【００４６】
また、サーバＡは、宛先のメールアドレスに所定のドメイン名を有する電子メールのみを受信するように構成されていて、本実施例では、該所定のドメイン名は「ｍｅｒｕｋｕｍａ．ｎｅｔ」とする。つまり、上記電子メール送受信プログラムは、該所定のドメイン名の電子メールのみを受信するように構成されている。この所定のドメイン名は、サーバＡに対応したドメイン名であるといえる。なお、該所定のドメイン名は、「ｍｅｒｕｋｕｍａ．ｎｅｔ」以外のドメイン名でもよい。
【００４７】
また、データ格納部２４は、各種データを記憶するための記憶部である。このデータ格納部２４は、具体的には、記憶装置により構成される。
【００４８】
すなわち、データ格納部２４には、図２に示すような会員情報テーブルＴ１や、図３に示す送信テーブルＴ２や、図４に示す受信テーブルＴ３が格納されている。また、図８〜図１０等に示すような画面のデータも格納されている。
【００４９】
ここで、会員情報テーブルＴ１は、各会員について、ＩＤの情報（会員を特定するためのデータ）と、第１メールアドレスの情報と、第２メールアドレスの情報と、第１メールアドレスに送信が必要か否かについての情報（電子メールの送信を行うか否かについてのデータ）と、第２メールアドレスに送信が必要か否かについての情報（電子メールの送信を行うか否かについてのデータ）と、名前、住所、年齢、性別等の情報が記憶される。この会員情報テーブルＴ１に登録される情報は、後述の会員登録ページに入力された情報に従い登録される。この会員情報テーブルＴ１が、上記会員情報記憶手段に当たる。
【００５０】
また、送信テーブルＴ２は、サーバＡが外部から受信した電子メールのデータを各会員（特に送信元（差出人としてもよい。以下同じ）の会員）ごとに登録するものであり、電子メールの件名と、宛先と、日付と、本文の内容（電子メールの内容）とが各会員について電子メールごとに登録される。なお、この送信テーブルＴ２において、会員はＩＤにより特定される。また、後述するように、この送信テーブルＴ２には、サーバＡが受信した電子メールで、送信元のメールアドレスが会員情報テーブルＴ１に登録されているもののみが登録される。また、各電子メールの情報は、サーバＡが受信した電子メールの送信元メールアドレスの情報に従い、その送信元メールアドレスに対応したＩＤに対応した領域に格納する。この送信テーブルＴ２が、上記送信関係情報記憶手段に当たる。
【００５１】
また、受信テーブルＴ３は、サーバＡが外部から受信した電子メールのデータを各会員（特に宛先の会員）ごとに登録するものであり、電子メールの件名と、送信元と、日付と、本文の内容（電子メールの内容）とが各会員について電子メールごとに登録される。なお、この受信テーブルＴ３において、会員はＩＤにより特定される。また、後述するように、この受信テーブルＴ３には、サーバＡが受信した電子メールで、送信元のメールアドレスが会員情報テーブルＴ１に登録されているもののみが登録される。また、各電子メールの情報は、サーバＡが受信した電子メールの宛先メールアドレスの情報に従い、その宛先メールアドレスに対応したＩＤに対応した領域に格納する。この受信テーブルＴ３が、受信関係情報記憶手段に当たる。
【００５２】
また、ＣＰＵ３０は、サーバＡにおける各部の動作を制御するものであり、制御装置、演算装置、主記憶装置としての機能を有し、特に、プログラム格納部２２に格納された各プログラムに従い動作し、特に、以下に示すフローチャートに示すように動作する。
【００５３】
また、端末Ｂ１は、サーバＡやＰ社メールサーバＣ１等の端末とインターネットを介して接続可能なコンピュータであり、ＣＲＴ、ＬＣＤ等の表示部や、キーボード、マウス等の入力部を備えている。この端末Ｂ１は、パーソナルコンピュータであるが、携帯電話でもよい。端末Ｂ４も通信回線網Ｎに接続された端末である。
【００５４】
また、パソコン端末Ｂ２は、サーバＡやＱ社メールサーバＣ２等の端末とインターネットを介して接続可能なパーソナルコンピュータであり、ＣＲＴ、ＬＣＤ等の表示部や、キーボード、マウス等の入力部を備えている。
【００５５】
また、携帯電話端末Ｂ３は、サーバＡやＲ社メールサーバＣ３等の端末とインターネットを介して接続可能な携帯電話端末である。
【００５６】
また、Ｐ社メールサーバＣ１、Ｑ社メールサーバＣ２、Ｒ社メールサーバＣ３は、通常のメールサーバ、すなわち、電子メールの送受信を行うサーバである。つまり、各メールサーバとも所定の電子メール、すなわち、宛先のメールアドレスに各社に対応したドメイン名（例えば、組織名と属性と地域名）を有する電子メール（すなわち、＠以下が各社に対応したドメイン名の電子メール）を受信して、その宛先に対応する端末から受信操作があった場合に該端末に該電子メールを送信するものである。
【００５７】
なお、図１に示す各構成、すなわち、サーバＡと、端末Ｂ１、パソコン端末Ｂ２と、携帯電話端末Ｂ３と、端末Ｂ４と、Ｐ社メールサーバＣ１と、Ｑ社メールサーバＣ２と、Ｒ社メールサーバＣ３とで、電子メール送信全体システムＷが構成される。
【００５８】
次に、サーバＡの動作、特に、サーバＡにより行われる電子メール送信方法について説明する。
【００５９】
なお、サーバＡから端末Ｂ１やパソコン端末Ｂ２や携帯電話端末Ｂ３に画面を表示させるに際しては、上記画面表示プログラムに従い、その画面の表示データ、つまり、ｈｔｍｌ形式のデータを該端末に送信して、これを受信した端末においては、該表示データが表示部に表示されることとなる。
【００６０】
また、各端末において表示された各画面において、クリック等による選択入力又は書込み入力により入力されたデータは、サーバＡに送られ、通信部１０を介してＣＰＵ３０に送られ、プログラム格納部２２に格納された、入力データを検出するための所定のプログラムである入力検知プログラムに従い、入力データの内容が検出されることとなる。なお、本出願において、「入力」の語は、特に断らない限り、選択入力、書込み入力等の全ての入力の概念を含むものとする。検出された入力データは、一時的にＣＰＵ３０で保持され、データ格納部２４に格納されることになる。また、各端末において、画面に複数のクリックボタン等の選択ボタンが表示され、いずれかの選択ボタンを選択可能となっている場合には、マウス等の入力手段により選択を行なう。また、以下に説明する各画面において、端末からの必要な入力がない場合には、その入力を促す内容の指示を端末に表示するのが好ましい。
【００６１】
以下の説明では、端末Ｂ１のユーザである甲と、パソコン端末Ｂ２と携帯電話端末Ｂ３のユーザである乙とはともに会員登録することにより、会員情報テーブルＴ１に各情報が登録されているものとする。
【００６２】
すなわち、会員登録に当たっては、サーバＡに設定された所定のＵＲＬにアクセスすることにより、図８に示すような会員登録画面Ｇ１を表示し、入力を行っていく。すなわち、図８に示すように、ＩＤを入力欄１００に入力するとともに、パスワードを入力欄１０２に入力する。ここで、入力欄１００に入力されたＩＤが会員情報テーブルＴ１におけるＩＤとなり、入力欄１０２に入力されたパスワードが会員情報テーブルＴ１におけるパスワードとなる。
【００６３】
また、メールアドレスを入力欄１０４に入力する。ここで、入力欄１０４に入力されたメールアドレスが会員情報テーブルＴ１における第１メールアドレスになる。また、メールアドレスにメールを送るか否かを選択欄１０６により選択する。すなわち、入力したメールアドレスにメールを送信する場合には、「はい」を選択し、送信しない場合には、「いいえ」を選択する。ここで、「はい」を選択した場合には、会員情報テーブルＴ１における「第１メールアドレスに送信要か」が「要」となり、「いいえ」を選択した場合には「不要」となる。
【００６４】
また、携帯電話にメールを送る場合には、入力欄１０８にメールアドレスを入力する。ここで、入力欄１０８に入力されたメールアドレスが会員情報テーブルＴ１における第２メールアドレスになる。また、この入力欄１０８にメールアドレスを入力した場合には、会員情報テーブルＴ１における「第２メールアドレスに送信要か」が「要」となり、入力欄１０８に入力しない場合には、「不要」となる。また、入力欄１０８にメールアドレスを入力しない場合には、会員情報テーブルＴ１における第２メールアドレスにはメールアドレスは当然記憶されない。この場合には、１つのメールアドレス（つまり、第１メールアドレス）が記憶されることになる。
【００６５】
さらに、名前を入力欄１１０に入力し、住所を入力欄１１２に入力し、年齢を入力欄１１４に入力し、性別を選択欄１１６で選択していく。
【００６６】
会員登録画面Ｇ１における入力が完了したら、「送信する」をクリックすることにより、入力された情報はサーバＡに送られ、入力された情報が入力検知プログラムにより検知されて、会員情報テーブルＴ１に登録される。
【００６７】
なお、以下の説明では、甲については、図２の会員情報テーブルＴ１におけるＩＤ「ａｂｃ」の欄に示す情報が登録され、乙については、図２の会員情報テーブルＴ１におけるＩＤ「ｄｅｆ」の欄に示す情報が登録されているものとする。
【００６８】
サーバＡにおいては、各会員に独自メールアドレスが割り当てられており、ＩＤと＠と所定のドメイン名からなるメールアドレスが割り当てられている。なお、所定のドメイン名は、ここでは、「ｍｅｒｕｋｕｍａ．ｎｅｔ」であるとし、例えば、甲については、ＩＤが「ａｂｃ」であるので、甲に割り当てられた独自メールアドレスは、「ａｂｃ＠ｍｅｒｕｋｕｍａ．ｎｅｔ」となり、乙については、「ｄｅｆ＠ｍｅｒｕｋｕｍａ．ｎｅｔ」となる。
【００６９】
次に、甲が乙に対して電子メールを送信する場合について、主として、図５〜図７を使用して説明する。ここで、甲は、Ｐ社に対応したドメイン名のメールアドレスを取得していて、端末Ｂ１は、Ｐ社メールサーバＣ１との間で電子メールを送受信するように設定されている。また、甲は、Ｒ社に対応したドメイン名のメールアドレスも取得している。なお、上記の会員登録においては、図２に示すように、甲（ＩＤ「ａｂｃ」）は、第１メールアドレスに、Ｐ社に対応したドメイン名を有するメールアドレスを登録し、第２メールアドレスにＲ社に対応したドメイン名を有するメールアドレスを登録している。
【００７０】
また、乙は、Ｑ社に対応したドメイン名のメールアドレスと、Ｒ社に対応したドメイン名のメールアドレスとを取得していて、パソコン端末Ｂ２は、Ｑ社メールサーバＣ２との間で電子メールを送受信するように設定され、携帯電話端末Ｂ３は、Ｒ社メールサーバＣ３との間で電子メールを送受信するように設定されている。なお、上記の会員登録においては、図２に示すように、乙（ＩＤ「ｄｅｆ」）は、第１メールアドレスに、Ｑ社に対応したドメイン名を有するメールアドレスを登録し、第２メールアドレスにＲ社に対応したドメイン名を有するメールアドレスを登録している。また、端末Ｂ１、パソコン端末Ｂ２と、携帯電話端末Ｂ３と、端末Ｂ４のいずれの端末にも電子メールの送受信を行うためのメールソフトがインストールされている。
【００７１】
なお、サーバＡは、通常のメールサーバの機能を有していないので、サーバＡは、端末Ｂ１、パソコン端末Ｂ２、携帯電話端末Ｂ３等の各ユーザの端末から直接メールを受信することはなく、Ｐ社メールサーバＣ１等のメールサーバを介して電子メールを受信することになる。
【００７２】
甲は、端末Ｂ１にインストールされているメールソフトを用いて、乙宛に電子メールを送信する。この場合、メールの宛先は、乙の独自メールアドレスとする。つまり、上記の例では、「ｄｅｆ＠ｍｅｒｕｋｕｍａ．ｎｅｔ」とする。なお、乙の独自メールアドレスについては、甲は、乙から別途知得するか、あるいは、サーバＡに掲示板を設けておき、乙が、該独自メールアドレスを示して自己紹介の掲示をする等して知ることができる。また、甲が送信する電子メールの送信元は、甲が取得しているＰ社に対応したドメイン名を有するメールアドレスとなる。
【００７３】
すると、端末Ｂ１から送信された電子メールは、図７に示すように、Ｐ社メールサーバＣ１に受信され、Ｐ社メールサーバＣ１は、受信した電子メールの宛先に対応するサーバＡに対して電子メールを送信する。
【００７４】
すると、サーバＡは、Ｐ社メールサーバＣ１から送信された電子メールを受信する。ここで、電子メールの受信に際しては、通信部１０やＣＰＵ３０が上記電子メール送受信プログラムに従い動作して電子メールを受信する。この場合、電子メール送受信プログラムとこれに従い動作するＣＰＵ３０や通信部１０が上記受信手段として機能する。また、電子メールを受信する工程が上記受信工程となる。
【００７５】
サーバＡにおいては、図５に示すように、電子メールを受信したか否かが常に（定期的にでもよい）監視されており（Ｓ１１）、電子メールが受信されたらステップＳ１２に移行する。すなわち、ステップＳ１２においては、受信した電子メールにおける送信元メールアドレスが会員情報テーブルＴ１に登録されているか否かを判定する。つまり、上記の登録判定プログラムに基づき、送信元メールアドレスが、会員情報テーブルＴ１の第１メールアドレスと第２メールアドレスのいずれかに登録されているか否かが判定される。送信元メールアドレスが、会員情報テーブルＴ１の第１メールアドレスと第２メールアドレスのいずれかに登録されていれば、その電子メールの送信元は会員であるので、ステップＳ１３に移行する。一方、送信元メールアドレスが登録されていない場合には、会員ではないので、そのまま処理を終了する。なお、その際Ｐ社メールサーバＣ１に対して、メールは送信されない旨の情報を送信することが好ましい。なお、この場合、上記登録判定プログラムとこれに従い動作するＣＰＵ３０が上記判定手段として機能し、ステップＳ１２は、上記判定工程に当たる。
【００７６】
なお、このステップＳ１２においては、受信した電子メールにおける送信元メールアドレスが会員情報テーブルＴ１に登録されているか否かを判定するので、その意味では、電子メールを送信した者が会員であるか否かの認証を行っていることになる。
【００７７】
上記の例では、電子メールの送信元メールアドレスは、会員情報テーブルＴ１のＩＤが「ａｂｃ」の第１メールアドレスに登録されているので、ステップＳ１３に移行する。
【００７８】
ステップＳ１３においては、送信元メールアドレスを独自メールアドレスに変換する。つまり、上記変換プログラムに従い、送信元メールアドレスを独自メールアドレス、すなわち、送信元の会員のＩＤと所定のドメイン名からなる独自メールアドレスに変換する。例えば、上記の例では、送信元は甲であるので、「ａｂｃ＠ｍｅｒｕｋｕｍａ．ｎｅｔ」となる。このようにして、送信元のメールアドレスを送信元のメールアドレスとは異なるメールアドレスに変換する。なお、この場合、上記変換プログラムとこれに従い動作するＣＰＵ３０が上記変換手段として機能し、ステップＳ１３は、上記変換工程に当たる。
【００７９】
次に、送信テーブルＴ２に電子メールのデータを記録する（Ｓ１４）。つまり、上記記録プログラムに従い、送信テーブルＴ２における送信元に対応する領域に電子メールのデータ（つまり、件名、宛先、日付、本文の各データ）を記録する。上記の例では、送信元メールアドレスがＩＤ「ａｂｃ」に登録されていたので、送信テーブルＴ２における「ａｂｃ」に対応した領域に記録し、宛先については、「ｄｅｆ＠ｍｅｒｕｋｕｍａ．ｎｅｔ」となる。つまり、上記の例では、図３の送信テーブルＴ２におけるデータＤ１に示す内容のデータが記録される。なお、この場合、上記記録プログラムとこれに従い動作するＣＰＵ３０が上記送信関係情報登録手段として機能し、ステップＳ１４は、上記送信関係情報登録手段に当たる。
【００８０】
次に、受信テーブルＴ３に電子メールのデータを記録する（Ｓ１５）。つまり、受信テーブルＴ３における宛先に対応する領域に電子メールのデータ（つまり、件名、送信元、日付、本文の各データ）を記録する。その際、送信元については、ステップＳ１３で変換された独自メールアドレスを記録する。上記の例では、宛先のメールアドレスが示すＩＤが「ｄｅｆ」であるので、受信テーブルＴ３における「ｄｅｆ」に対応した領域に記録し、送信元については、上記ステップＳ１３で独自メールアドレスに変換されているので、「ａｂｃ＠ｍｅｒｕｋｕｍａ．ｎｅｔ」となる。つまり、上記の例では、図４の受信テーブルＴ３におけるデータＤ２に示す内容のデータが記録される。なお、この場合、上記記録プログラムとこれに従い動作するＣＰＵ３０が上記受信関係情報登録手段として機能し、ステップＳ１５は、上記受信関係情報登録手段に当たる。
【００８１】
以上のようにして、サーバＡが電子メールを受信した場合の処理が完了し、その後、サーバＡが電子メールを送信する処理に移行する。
【００８２】
すなわち、ステップＳ１５において受信テーブルＴ３に電子メールのデータが記録された場合には、ステップＳ２２に移行する（Ｓ２１、Ｓ２２）。
【００８３】
ステップＳ２２においては、データが記録された電子メールに対応するＩＤについて、「第１メールアドレスに送信要か」について「要」となっているか否かを判定する。つまり、設定判定プログラムに従い、ステップＳ２１で受信テーブルＴ３にデータが記録された電子メールに対応するＩＤについて、「第１メールアドレスに送信要か」について「要」となっているか否かを判定する。すなわち、図４に示す受信テーブルＴ３におけるデータＤ２については、ＩＤが「ｄｅｆ」であるので、この「ｄｅｆ」についての設定内容を会員情報テーブルＴ１において判定する。図２に示す会員情報テーブルＴ１においては、ＩＤ「ｄｅｆ」の「第１メールアドレスに送信要か」は「要」となっているので、「要」となっている判定される。
【００８４】
そして、送信要と判定した場合には、ステップＳ２３に移行し、送信要と判定しない場合には、ステップＳ２４に移行する。
【００８５】
ステップＳ２３においては、第１メールアドレス宛に電子メールを送信する。すなわち、受信テーブルＴ３における電子メールで、ステップＳ２２の判定を行った電子メールに対応するＩＤに対応する第１メールアドレス宛に電子メールを送信する。図４におけるデータＤ２の例では、ＩＤは「ｄｅｆ」となるので、会員情報テーブルＴ１における「ｄｅｆ」の第１メールアドレスに電子メールを送信する。すなわち、ＩＤ「ｄｅｆ」における第１メールアドレスは、Ｑ社に対応したドメイン名のメールアドレスであるので、Ｑ社メールサーバＣ２に対して電子メールを送信する。その際送信される電子メールの送信元は、受信テーブルＴ３に記録されている送信元の情報（すなわち、独自メールアドレス、上記の例では「ａｂｃ＠ｍｅｒｕｋｕｍａ．ｎｅｔ」）となり、また、宛先は、当然、乙が所有するＱ社に対応したドメイン名のメールアドレスである。つまり、送信元のメールアドレスとして、独自メールアドレスを付して電子メールを送信する。ステップＳ２３において、電子メールの送信が完了したら、ステップＳ２４に移行する。なお、ステップＳ２２において送信要と判定しない場合には、そのままステップＳ２４に移行するので、第１メールアドレス宛にはメールを送信しない。
【００８６】
すなわち、ステップＳ２４においては、データが記録された電子メールに対応するＩＤについて、「第２メールアドレスに送信要か」について「要」となっているか否かを判定する。つまり、設定判定プログラムに従い、ステップＳ２１で受信テーブルＴ３にデータが記録された電子メールに対応するＩＤについて、「第２メールアドレスに送信要か」について「要」となっているか否かを判定する。すなわち、受信テーブルＴ３におけるデータＤ２については、ＩＤが「ｄｅｆ」であるので、この「ｄｅｆ」についての設定内容を会員情報テーブルＴ１において判定する。図２に示す会員情報テーブルＴ１においては、ＩＤ「ｄｅｆ」の「第２メールアドレスに送信要か」は「要」となっているので、「要」となっている判定される。
【００８７】
そして、送信要と判定した場合には、ステップＳ２５に移行し、送信要と判定しない場合には、処理を終了する。
【００８８】
ステップＳ２５においては、第２メールアドレス宛に電子メールを送信する。すなわち、受信テーブルＴ３における電子メールで、ステップＳ２４の判定を行った電子メールに対応するＩＤに対応する第２メールアドレス宛に電子メールを送信する。図４におけるデータＤ２の例では、ＩＤは「ｄｅｆ」となるので、会員情報テーブルＴ１における「ｄｅｆ」の第２メールアドレスに電子メールを送信する。すなわち、ＩＤ「ｄｅｆ」における第２メールアドレスは、Ｒ社に対応したドメイン名のメールアドレスであるので、Ｒ社メールサーバＣ３に対して電子メールを送信する。その際送信される電子メールの送信元は、受信テーブルＴ３に記録されている送信元の情報（すなわち、独自メールアドレス、上記の例では「ａｂｃ＠ｍｅｒｕｋｕｍａ．ｎｅｔ」）となり、また、宛先は、当然、乙が所有するＲ社に対応したドメイン名のメールアドレスである。つまり、送信元のメールアドレスとして、独自メールアドレスを付して電子メールを送信する。ステップＳ２５が終了したら電子メール送信の処理を終了する。
【００８９】
なお、ステップＳ２２〜Ｓ２５の動作に際しては、設定判定プログラムと電子メール送受信プログラムとこれらに従い動作するＣＰＵ３０や通信部１０が、上記送信手段に当たる。また、上記ステップＳ２２〜Ｓ２５が、上記送信工程に当たる。
【００９０】
Ｑ社メールサーバＣ２は、電子メールを受信すると、宛先がＱ社に対応したドメイン名の電子メールであるので、この電子メールを保持する。そして、パソコン端末Ｂ２からメール受信の操作があると、保持していた電子メールをパソコン端末Ｂ２に送信する。パソコン端末Ｂ２で受信した電子メールにおいては、送信元は、変換された送信元メールアドレス、すなわち、上記の例では、「ａｂｃ＠ｍｅｒｕｋｕｍａ．ｎｅｔ」となる。
【００９１】
また、Ｒ社メールサーバＣ３は、電子メールを受信すると、宛先がＲ社に対応したドメイン名の電子メールであるので、この電子メールを保持する。そして、携帯電話端末Ｂ３からメール受信の操作があると、保持していた電子メールを携帯電話端末Ｂ３に送信する。携帯電話端末Ｂ３で受信した電子メールにおいては、送信元は、変換された送信元メールアドレス、すなわち、上記の例では、「ａｂｃ＠ｍｅｒｕｋｕｍａ．ｎｅｔ」となる。
【００９２】
次に、サーバＡにログインを行って、電子メールの送受信や送信済メールの確認や受信済メールの確認を行う場合について説明する。
【００９３】
端末Ｂ１等の端末からサーバＡにログインをするためのＵＲＬにアクセスすると、ログインをするための画面（図示せず）が表示されるので、該画面において、ＩＤやパスワードを入力する。すると、送信関係画面を表示するためのアイコンと、受信関係画面を表示するためのアイコンが表示された画面（図示せず）が表示されるので、ユーザが送信関係画面を表示したい場合には、送信関係画面を表示するためのアイコンをクリックする。
【００９４】
ユーザが、送信関係画面を表示するためのアイコンをクリックすると、送信関係画面Ｇ２が端末に表示される。この送信関係画面Ｇ２は、メール内容表示領域１２０と、送信済メール一覧１２２とを有している。このメール内容表示領域１２０においては、「メールを読む」のアイコン１２４が選択されている場合には、送信済メール一覧１２２において選択されたメールの内容が表示され（いずれのメールも選択しない場合には、表示されない）、また、「メールを書く」のアイコン１２６が選択されている場合には、このメール内容表示領域１２０において新規のメールを書くことができるようになっている。新規に作成したメールは、「送信する」をクリックすることにより送信することができる。
【００９５】
また、送信済メール一覧１２２には、送信済みのメールの一覧が表示され、具体的には、ログインの際に入力されたＩＤに対応したデータを送信テーブルＴ２から抽出して、表示するようになっている。つまり、該ＩＤに対応した各電子メールの件名と宛先と日付のデータが抽出されて送信済メール一覧１２２に表示される。また、送信テーブルＴ２における各電子メールの本文の内容は、送信済メール一覧１２２において電子メールを選択した場合に、送信テーブルＴ２から読み出されて表示される。
【００９６】
図９に示す例は、ユーザ甲が端末Ｂ１を用いてログインを行い、送信関係画面Ｇ２を表示させて、「メールを読む」を選択した状態を示している。つまり、送信済メール一覧１２２には、送信テーブルＴ２におけるＩＤ「ａｂｃ」の領域に記録された件名と宛先と日付のデータが表示され、メール内容表示領域１２０には、このメールの内容が表示されている。
【００９７】
このように送信関係画面Ｇ２を表示するに当たっては、送信関係画面Ｇ２のデータを端末に送信するが、その際、上記入力検知プログラムや上記画面表示プログラムやこれらに従い動作するＣＰＵ３０や通信部１０が動作し、これらが上記第２送信手段として機能する。また、送信関係画面Ｇ２のデータを送信する工程が上記送信済情報送信工程に当たる。
【００９８】
また、ユーザが、受信関係画面を表示するためのアイコンをクリックすると、受信関係画面Ｇ３が端末に表示される。この受信関係画面Ｇ３は、受信済メール一覧１３０と、メール内容表示領域１３２とを有している。この受信済メール一覧１３０には、受信済みのメールの一覧が表示され、具体的には、ログインの際に入力されたＩＤに対応したデータを受信テーブルＴ３から抽出して、表示するようになっている。つまり、該ＩＤに対応した各電子メールの件名と送信元と日付のデータが抽出されて受信済メール一覧１３０に表示される。また、メール内容表示領域１３２は、受信済メール一覧１３０において選択されたメールの内容が表示される。なお、受信済メール一覧１３０におけるいずれも選択しない場合には、メール内容表示領域１３２には表示されない。なお、メール内容表示領域１３２に表示されたメールに対して返信を行う場合には、「返信する」のアイコン１３４をクリックし、転送する場合には、「転送する」のアイコン１３６をクリックする。
【００９９】
このように受信関係画面Ｇ３を表示するに当たっては、受信関係画面Ｇ３のデータを端末に送信するが、その際、上記入力検知プログラムや上記画面表示プログラムやこれらに従い動作するＣＰＵ３０や通信部１０が動作し、これらが上記第３送信手段として機能する。また、受信関係画面Ｇ３のデータを送信する工程が上記受信済情報送信工程に当たる。
【０１００】
このように送信関係画面Ｇ２や受信関係画面Ｇ３が表示されることにより、サーバＡにより送受信されたメールを一元管理でき、特に、複数の端末を使用する場合でも、この送信関係画面Ｇ２を表示させることによりそのユーザから送信したメールを全て表示でき、また、受信関係画面Ｇ３を表示させることによりそのユーザが受信したメールを全て表示できるので、便利である。例えば、甲が端末Ｂ１と端末Ｂ４を用いて、メールの送受信を行う場合でも、甲から送信したメールの情報は送信テーブルＴ２に全て記録され、甲が受信したメールの情報は受信テーブルＴ３に全て記録されるので、甲から送受信したメールを全て管理することができる。つまり、端末Ｂ１や端末Ｂ４には、各端末で送受信したメールの記録しか残らないが、上記送信関係画面Ｇ２や受信関係画面Ｇ３を表示させることにより送信したメールを一元管理することができる。
【０１０１】
以上のように、本実施例のサーバＡによれば、電子メールを受信した乙においては、電子メールに表示される送信元が、パソコン端末Ｂ２の場合も携帯電話端末Ｂ３の場合も変換後の独自メールアドレスとなるので、甲の本来のメールアドレス、つまり、上記の例では、Ｐ社に対応したドメイン名を有するメールアドレスが乙に知られることがない。つまり、電子メールの送信側としては、自分のメールアドレスが判定することがない。
【０１０２】
また、電子メールの送信側としては、１つの電子メール送信作業を行うのみで、２つの端末に電子メールが送信されるので、各端末のそれぞれに電子メールを送信する煩わしさがない。また、電子メールの受信側としても、２つの端末のいずれにも電子メールが送信されるので、２つの端末のうちのどちらかで自分宛に来た電子メールをチェックすればよく、自分宛に来たメールを見落とすおそれが小さくなる。
【０１０３】
また、電子メールの送受信の操作においては、各端末においてメールソフトによる操作を行うのみでよく、サーバＡにログインする必要がないので、便利である。つまり、ステップＳ１２においては、受信した電子メールにおける送信元メールアドレスが会員情報テーブルＴ１に登録されているか否かを判定するので、その意味では、電子メールを送信した者が会員であるか否かの認証を行っており、別途ログインの必要はないといえる。
【０１０４】
また、上記のように、送信関係画面Ｇ２や受信関係画面Ｇ３が表示されることにより、サーバＡにより送受信されたメールを一元管理することができる。
【０１０５】
なお、上記の説明においては、１つのＩＤに対して登録できるメールアドレスが２つ（つまり、第１メールアドレスと第２メールアドレス）であるとしたが、これには限られず、３つ以上のメールアドレスを登録できるようにしてもよい。つまり、複数のメールアドレスを登録できるようにし、各メールアドレスについて、メール送信要か否かの設定を行うようにする。つまり、複数のメールアドレスが登録可能で、該複数のうちの任意の数のメールアドレスを登録できる。この場合の会員情報テーブルＴ１は、「各会員ごとに、会員を特定するためのデータ（ＩＤ）と、複数のメールアドレスのデータと、各メールアドレスについて電子メールの送信を行うか否かについてのデータとを記憶可能な会員情報記憶手段で、各会員について、１又は複数のメールアドレスのデータを記憶した会員情報記憶手段」といえる。このようにすることにより、複数の端末で電子メールを受信することができる。また、上記の例では、登録できる２つのメールアドレスにおける少なくとも１つのメールアドレスは、携帯電話のメールアドレスであるとしたが、これには限られず、パソコンのメールアドレスを複数登録できるようにしてもよいし、携帯電話のメールアドレスを複数登録できるようにしてもよい。
【図面の簡単な説明】
【０１０６】
【図１】本発明の実施例に基づくサーバを含む電子メール送信全体システムの構成を示すブロック図である。
【図２】会員情報テーブルの構成を示す説明図である。
【図３】送信テーブルの構成を示す説明図である。
【図４】受信テーブルの構成を示す説明図である。
【図５】サーバにおける動作を説明するフローチャートである。
【図６】サーバにおける動作を説明するフローチャートである
【図７】本発明の実施例に基づくサーバを含む電子メール送信全体システムの動作を説明する説明図である。
【図８】会員登録画面を示す説明図である。
【図９】送信関係画面を示す説明図である。
【図１０】受信関係画面を示す説明図である。
【符号の説明】
【０１０７】
Ａ  サーバ
１０  通信部
２０  記憶部
２２  プログラム格納部
２４  データ格納部
３０  ＣＰＵ
Ｔ１  会員情報テーブル
Ｔ２  送信テーブル
Ｔ３  受信テーブル
【図１】
2006295795.tif 000003
【図２】
2006295795.tif 000004
【図３】
2006295795.tif 000005
【図４】
2006295795.tif 000006
【図５】
2006295795.tif 000007
【図６】
2006295795.tif 000008
【図７】
2006295795.tif 000009
【図８】
2006295795.tif 000010
【図９】
2006295795.tif 000011
【図１０】
2006295795.tif 000012